(57)【要約】      （修正有）【課題】励起光入射側の一面に周期構造体が設けられた蛍光板において、蛍光光源装置における蛍光板を配置する向きを間違えることに起因して出射光の強度が変動することや投射光に色ムラが生じることを回避することができる蛍光板および当該蛍光板を備えた蛍光光源装置を提供する。【解決手段】蛍光板２０は、励起光Ｌを蛍光に変換する波長変換部材２２と、波長変換部材の励起光入射側の一面に設けられた周期構造体２５と、励起光入射側とは反対側の一面に設けられた光反射層２３と、当該光反射層を支持する支持体２６とを備え、励起光入射側の一面から肉眼で目視可能な方向判別部２１が設けられている。【選択図】図１
2019075343.tif 000002
【特許請求の範囲】
【請求項１】
励起光を蛍光に変換する波長変換部材と、
前記波長変換部材の励起光入射側の一面に設けられた周期構造体と、
励起光入射側とは反対側の一面に設けられた光反射層と、
当該光反射層を支持する支持体とを備え、
励起光入射側の一面から肉眼で目視可能な方向判別部が設けられていることを特徴とする蛍光板。
【請求項２】
前記方向判別部は、前記支持体と一体的に設けられていることを特徴とする請求項１に記載の蛍光板。
【請求項３】
前記方向判別部は、クロムまたはニッケルよりなることを特徴とする請求項１または請求項２に記載の蛍光板。
【請求項４】
放熱基板と、当該放熱基板の表面に沿って配置された蛍光板と、当該蛍光板に励起光を入射させる励起光源とからなる蛍光光源装置であって、
前記蛍光板が、請求項１〜請求項３のいずれかに記載のものであることを特徴とする蛍光光源装置。
【発明の詳細な説明】
【技術分野】
【０００１】
本発明は、励起光を照射することによって蛍光を放射する蛍光板および当該蛍光板を備える蛍光光源装置に関する。
【背景技術】
【０００２】
従来、レーザ光を励起光として蛍光板に照射し、当該蛍光板から蛍光を放射する構成の蛍光光源装置が知られている。この蛍光光源装置に備えられる蛍光板の或る種のものは、励起光がその内部に効率的に入射されるよう、または、蛍光板の内部で生じた蛍光が効率的に外部に出射されるよう、励起光入射側の一面にサブミクロンオーダーサイズからミクロンオーダーサイズの、モスアイなどのフォトニック構造よりなる周期構造体が設けられている（例えば、特許文献１参照。）。
【０００３】
然るに、サブミクロンオーダーサイズの周期構造体が設けられた蛍光板においては、周期構造体に指向性を有する励起光が入射されると、当該周期構造体に起因して回折光が発生する。この発生した回折光が所期の蛍光の取り出し方向と同じ方向に向かって放射された場合には、装置の外部に出射されてしまうおそれがある。そして、蛍光と共に装置外に出射された回折光は、可視光であるため投射光内でブルースポットとして視認され、当該投射光の色ムラの原因となってしまう。
回折光が放射される角度（放射角）は励起光の光軸方向に対する蛍光板を配置する向きによって異なるため、装置の製造時に蛍光板の配置する向きを間違えてしまうと、上記の問題が生じる。
上記のような問題が生じないようにするために、蛍光板を装置内に固定した後、実際に励起光を入射させて回折光の放射角を確認することも考えられるが、検査工程が増えてしまうことから好ましくない。
【０００４】
また、ミクロンオーダーサイズの周期構造体が設けられた蛍光板においては、回折光は発生しないが、励起光を入射させる方向によって当該励起光が蛍光板に入射する効率が変動することがあり、従って、最終的に蛍光板から装置外に出射される蛍光の強度が変動することがある。すなわち、装置の製造時における、励起光の光軸方向に対する蛍光板を配置する向きの設定次第で得られる蛍光の強度が変動してしまう、という問題が生じる。
上記のような問題が生じないようにするために、蛍光板を装置内に固定した後、実際に励起光を入射させて装置外に出射される蛍光の強度を確認することも考えられるが、検査工程が増えてしまうことから好ましくない。
【先行技術文献】
【特許文献】
【０００５】
【特許文献１】特開２０１３−０３０７２０号公報
【発明の概要】
【発明が解決しようとする課題】
【０００６】
本発明は、以上のような事情に基づいてなされたものであって、その目的は、励起光入射側の一面に周期構造体が設けられた蛍光板において、蛍光光源装置における蛍光板を配置する向きを間違えることに起因して出射光の強度が変動することや投射光に色ムラが生じることを回避することができる蛍光板および当該蛍光板を備えた蛍光光源装置を提供することにある。
【課題を解決するための手段】
【０００７】
本発明の蛍光板は、励起光を蛍光に変換する波長変換部材と、
前記波長変換部材の励起光入射側の一面に設けられた周期構造体と、
励起光入射側とは反対側の一面に設けられた光反射層と、
当該光反射層を支持する支持体とを備え、
励起光入射側の一面から肉眼で目視可能な方向判別部が設けられていることを特徴とする。
【０００８】
本発明の蛍光板においては、前記方向判別部は、前記支持体と一体的に設けられている構成とすることができる。
【０００９】
本発明の蛍光板においては、前記方向判別部は、クロムまたはニッケルよりなることが好ましい。
【００１０】
本発明の蛍光光源装置は、放熱基板と、当該放熱基板の表面に沿って配置された蛍光板と、当該蛍光板に励起光を入射させる励起光源とからなる蛍光光源装置であって、
前記蛍光板が、上記のものであることを特徴とする。
【発明の効果】
【００１１】
本発明の蛍光板においては、蛍光光源装置内において蛍光板を固定化する際に、励起光入射側の一面から方向判別部を肉眼で目視することができるため、当該方向判別部の位置に従って、当該蛍光板を蛍光光源装置内において所期の向きに容易に配置することができる。従って、本発明の蛍光板によれば、蛍光光源装置内において蛍光板を配置する向きを間違えることに起因して出射光の強度が変動することや投射光に色ムラが生じることを回避することができる。
【図面の簡単な説明】
【００１２】
【図１】（ａ）は、本発明の蛍光光源装置における第１の実施の形態の蛍光板の構成の一例を示す平面図であり、（ｂ）は、（ａ）のＡ−Ａ線断面図に、励起光源を加えて記載した図であり、（ｃ）は、（ｂ）のＢ−Ｂ線断面図であり、（ｄ）は、（ｂ）のＣ−Ｃ線断面図である。
【図２】（ａ）は、本発明の第１の実施の形態に係る蛍光板の構成の他の例を示す平面図であり、（ｂ）は、（ａ）のＤ−Ｄ線断面図である。
【図３】（ａ）は、本発明の第１の実施の形態に係る蛍光板の構成のさらに他の例を示す平面図であり、（ｂ）は、（ａ）のＥ−Ｅ線断面図である。
【図４】（ａ）は、本発明の第１の実施の形態に係る蛍光板の構成のさらに他の例を示す平面図であり、（ｂ）は、（ａ）のＦ−Ｆ線断面図である。
【図５】（ａ）は、本発明の第１の実施の形態に係る蛍光板の構成のさらに他の例を示す平面図であり、（ｂ）は、（ａ）のＧ−Ｇ線断面図である。
【図６】（ａ）は、本発明の第１の実施の形態に係る蛍光板の構成のさらに他の例を示す平面図であり、（ｂ）は、（ａ）のＨ−Ｈ線断面図である。
【図７】（ａ）は、本発明の蛍光光源装置における第２の実施の形態の蛍光板の構成の一例を示す平面図であり、（ｂ）は、（ａ）のＩ−Ｉ線断面図である。
【図８】（ａ）は、本発明の蛍光光源装置における第３の実施の形態の蛍光板の構成の一例を示す平面図であり、（ｂ）は、（ａ）のＪ−Ｊ線断面図である。
【発明を実施するための形態】
【００１３】
以下、本発明の蛍光板および蛍光光源装置の実施の形態について説明する。
＜第１の実施の形態＞
図１（ａ）は、本発明の蛍光光源装置における第１の実施の形態の蛍光板の構成の一例を示す平面図であり、図１（ｂ）は、図１（ａ）のＡ−Ａ線断面図に、励起光源を加えて記載した図であり、（ｃ）は、（ｂ）のＢ−Ｂ線断面図であり、（ｄ）は、（ｂ）のＣ−Ｃ線断面図である。
本発明の蛍光光源装置は、例えばレーザダイオードよりなる励起光源１１と、励起光源１１から出射される励起光Ｌによって励起されて蛍光を放射する蛍光板２０を有する略平板状の蛍光発光部材１５とを備え、これらが互いに離間して配設されたものである。蛍光発光部材１５は、励起光源１１に対向するよう、当該励起光源１１の光軸に対して傾斜した姿勢で配置されている。
【００１４】
蛍光発光部材１５は、平板状の略矩形の蛍光板２０が、平板状の放熱基板１３の表面（図１（ｂ）における上面）に沿って配置されたものである。
この蛍光発光部材１５には、放熱基板１３の裏面（図１（ｂ）における下面）に、例えば銅などの金属からなる放熱部材（図示省略）が設けられている。
【００１５】
第１の実施の形態の蛍光板２０は、励起光を蛍光に変換する蛍光体が含有された平板状の波長変換部材２２と、当該波長変換部材２２の励起光入射側の一面（図１（ｂ）における上面）に設けられた、複数の凸部（図示せず）が周期的に配列されてなる略平板状の周期構造体２５とを有し、周期構造体２５の表面（図１（ｂ）における上面）が励起光入射面とされていると共に、蛍光出射面とされたものである。
また、蛍光板２０においては、波長変換部材２２の励起光入射側とは反対側の一面（図１（ｂ）における下面）に、光反射膜よりなる光反射層２３が設けられている。さらに、光反射層２３の裏面（図１（ｂ）における下面）および側周面に接触する状態に、当該光反射層２３を支持する略平板状の支持体２６が設けられており、当該支持体２６の裏面（図１（ｂ）における下面）は、例えば図示しない金属接合層を介して放熱基板１３上に接合されている。
【００１６】
波長変換部材２２に含有される蛍光体は、単結晶の蛍光体、多結晶の蛍光体、または、単結晶の蛍光体若しくは多結晶の蛍光体とセラミックバインダーとの混合物の焼結体よりなる。
【００１７】
波長変換部材２２の形成材料において、蛍光体の具体例としては、希土類化合物がドープ（賦活）されたＹＡＧ蛍光体よりなるものを用いることができる。このような蛍光体において、希土類化合物（賦活材）のドープ量は、０．５ｍｏｌ％程度とすることができる。希土類化合物としては、例えばＣｅ、ＰｒおよびＳｍなどを挙げることができる。すなわち、蛍光体の具体例としては、ＹＡＧ：Ｃｅ、ＹＡＧ：Ｐｒ、ＹＡＧ：Ｓｍ、ＬｕＡＧ：Ｃｅなどが挙げられる。また、波長変換部材２２は、蛍光体に金属化合物を含有させて構成されていてもよい。
ここに、波長変換部材２２において生じる蛍光は、例えばピーク波長が５２０〜６５０ｎｍの光である。
【００１８】
波長変換部材２２の形成材料が単結晶の蛍光体若しくは多結晶の蛍光体とセラミックバインダーとの混合物の焼結体である場合において、当該焼結体におけるセラミックバインダーとしては、ナノサイズのアルミナ粒子を用いることができる。この焼結体は、蛍光体１００質量％に対して数質量％〜数十質量％のセラミックバインダーを混合し、その混合物をプレスした後、焼成することによって得ることができる。
【００１９】
波長変換部材２２の厚みは、例えば０．０５〜１．０ｍｍである。
また、波長変換部材２２の大きさは、例えば１〜５ｍｍ角である。
【００２０】
周期構造体２５は、励起光Ｌおよび波長変換部材２２を構成する蛍光体から放射される蛍光に対する光透過性を有しており、蛍光板２０の励起光入射面および蛍光出射面とされる表面に、複数の例えば円錐状などの錐状の凸部（図示せず）が密集した状態で二次元周期的に配列されてなるものである。
この図の例において、周期構造体２５は、波長変換部材２２表面の全面を覆うように配設されている。
【００２１】
蛍光板２０が励起光入射側に周期構造体２５が設けられたものであることにより、周期構造体２５の表面、すなわち蛍光板２０の表面における励起光Ｌの反射を抑制することができる。そのため、周期構造体２５の表面に励起光Ｌが照射されたときに、励起光Ｌを蛍光板２０内に十分に取り込むことができる。また、波長変換部材２２に対して励起光Ｌが局所的に入射されることを抑制することができる。
【００２２】
周期構造体２５の周期構造の周期は、例えば１００ｎｍ〜数１０μｍとされる。ここに、周期構造の周期とは、凸部の配置ピッチであって、周期構造において互いに隣接する凸部間の中心間距離（ｎｍ）を意味する。
周期構造体２５の各凸部は、３方配列または正方配列されることが一般的であるが、その他の形態に配列されていてもよい。
【００２３】
周期構造体２５の形成材料の具体例としては、サファイア、シリカ、チタニア、ジルコニア、窒化珪素などを用いることができる。
また、周期構造体２５の厚み（最大厚み）は、例えば０．１〜１０μｍである。
【００２４】
このような構成の周期構造体２５は、ゾルゲル法とナノインプリント法とを用いて形成することができる。具体的には、アルミニウム、珪素、チタン、ジルコニウム等のアルコキシドを含むゾル状の材料を、例えばスピンコート法によって波長変換部材２２の表面に塗布して、モールド型を押付けた状態で加熱処理を行い、離型した後、熱処理を行う。この熱処理によって、反応（加水分解および縮重合）が進み、無機材料からなる周期構造体２５が形成される。
また、周期構造体２５は、ナノインプリント法とドライエッチング処理とを用いても形成することができる。具体的には、平板状の無機材料層の表面に、例えばスピンコート法によってレジストを塗布し、次いで、レジストの塗布膜を例えばナノインプリント法によりパターニングする。その後、ドライエッチング処理を施すことにより、無機材料からなる周期構造体２５が形成される。
【００２５】
光反射層２３は、波長変換部材２２において生成された蛍光のうち、励起光入射側の一面とは反対側の面に向かって進行した蛍光を反射させて、励起光入射側の一面に導くために設けられている。
光反射層２３としては、例えば、Ａｌ、Ａｇ等の金属膜や、当該金属膜上に誘電体多層膜を形成させた増反射膜などよりなるものとすることができる。具体的には、光反射層２３を、例えばＳｉＯ2 ／ＴｉＯ2 ／ＳｉＯ2 ／ＴｉＯ2 ／Ａｇ／Ａｌ2 Ｏ3 ／ＳｉＯ2 からなるものとすることができる。この光反射層２３において、表面から４層（ＳｉＯ2 ／ＴｉＯ2 ／ＳｉＯ2 ／ＴｉＯ2 ）が増反射膜であり、Ａｇの層が反射膜（金属膜）であり、裏面から２層（Ａｌ2 Ｏ3 ／ＳｉＯ2 ）は保護膜である。
【００２６】
この例の蛍光板２０においては、光反射層２３は矩形の一隅が円弧状に切り欠かれた輪郭を有する平板状のものとされている。
【００２７】
光反射層２３の裏面（図１（ｂ）において下面）および波長変換部材２２の裏面（図１（ｂ）において下面）上には、それぞれ、当該光反射層２３と支持体２６との接合性および波長変換部材２２と支持体２６との接合性の観点から、Ｎｉ／Ｐｔ／Ａｕ膜、Ｃｒ／Ｐｔ／Ａｕ膜、またはＮｉ／Ａｕ膜よりなる金属膜が例えば蒸着によって形成されていてもよい。この金属膜の厚みは、例えばＮｉ／Ｐｔ／Ａｕ＝３０ｎｍ／５００ｎｍ／５００ｎｍとすることができる。
【００２８】
光反射層２３の厚みは、１００〜２００ｎｍであることが好ましい。
【００２９】
支持体２６は、光反射層２３と放熱基板１３との間に介在されて当該光反射層２３を支持するものである。この例の蛍光板２０においては、支持体２６は、平板状の土台部２６ａと、当該土台部２６ａの表面（図１（ｂ）における上面）上に一体に形成された、光反射層２３の外形の輪郭に適合する内形を有する枠状の枠部２６ｂとよりなる、全体として略平板状の形状を有し、土台部２６ａおよび枠部２６ｂに囲まれることにより凹所２７が形成されている。この凹所２７の深さすなわち枠部２６ｂの高さは、光反射層２３の厚みに適合する高さとされている。そして、凹所２７に光反射層２３が嵌合されて、当該光反射層２３の裏面（図１（ｂ）における下面）および全側周面が凹所２７の内周面に接触している。従って、光反射層２３の表面（図１（ｂ）における上面）が波長変換部材２２に接触されると共に支持体２６の表面における凹所２７以外の部分、具体的には枠部２６ｂの表面も波長変換部材２２に接触されている。
【００３０】
そして、支持体２６における枠部２６ｂの表面には、方向判別部２１が設けられている。具体的には、枠部２６ｂの表面における、光反射層２３において円弧状に切り欠かれた一隅に対応する領域に、光反射層２３よりも反射率が低い低反射膜が形成されており、当該低反射膜が方向判別部２１として機能している。
方向判別部２１を構成する低反射膜の反射率は、肉眼で目視したときに光反射層２３との反射率の違いを認識することができる程度であればよい。
この例の蛍光板２０において、周期構造体２５および波長変換部材２２は、可視光について透過性を有する。従って、肉眼で蛍光板２０を励起光入射側の一面から視認したときに、光反射層２３と方向判別部２１との光の反射率の違いから、方向判別部２１の存在を認識することができる。
この方向判別部２１には、励起光源１１からの励起光が照射されないことが好ましい。
【００３１】
支持体２６は、例えばクロムまたはニッケル、或いはこれらを含有する合金よりなるものとすることができる。
方向判別部２１を構成する低反射膜は、例えばクロムまたはニッケル、或いはこれらを含有する合金よりなる膜とすることができる。
この例の蛍光板２０においては、支持体２６および方向判別部２１を形成する材料が同じであるので、支持体２６における光反射層２３において円弧状に切り欠かれた一隅に対応する領域に低反射膜が当該支持体２６とは別個に形成することなく、一体的に形成されたものとすることができる。
支持体２６は、具体的には、例えばＣｒ／Ｎｉ／Ｔｉ／Ｐｔ／Ｔｉ／Ｐｔ／Ａｕからなるものとすることができる。この支持体２６における表面のＣｒ層が低反射膜である。
【００３２】
方向判別部２１を構成する低反射膜の厚みは、例えば３０ｎｍ以上であればよい。
【００３３】
光反射層２３および支持体２６における低反射膜は、例えばドライエッチング処理またはウェットエッチング処理を用いて形成することができる。ドライエッチング処理を用いて形成する場合は、具体的には、波長変換部材２２の裏面（図１（ｂ）における下面）の全面に、金属蒸着によって光反射層２３を構成する金属膜を形成した後、レジストパターンを形成してドライエッチング処理を施すことにより、所期の形状の光反射層２３が形成され、さらに、低反射膜を金属蒸着によって形成することにより、支持体２６が形成される。また、ウェットエッチング処理を用いて形成する場合は、具体的には、波長変換部材２２の裏面（図１（ｂ）における下面）にレジストパターンを形成した後、金属蒸着によって光反射層２３を構成する金属膜を形成し、次いで、レジストパターンをリフトオフすることにより所期の形状の光反射層２３が形成され、その後、低反射膜を金属蒸着によって形成することにより、支持体２６が形成される。
【００３４】
放熱基板１３は、波長変換部材２２において発せられた熱を排熱するために設けられるものであって、放熱基板１３としては、例えば熱伝導率が９０Ｗ／（ｍ・Ｋ）以上、具体的には例えば２３０〜４００Ｗ／（ｍ・Ｋ）である材料から構成されたものであることが好ましい。放熱基板１３を構成する材料の具体例としては、銅、銅合金（Ｍｏ−Ｃｕ、Ｃｕ−Ｗ）、アルミニウムなどが挙げられる。
放熱基板１３の厚みは、例えば０．５〜５．０ｍｍである。また、放熱基板１３を構成する金属基板は、放熱フィンの機能を兼ね備えたものであってもよい。
また、放熱基板１３においては、当該放熱基板１３の面積（具体的には、放熱基板１３の表面の面積）が、排熱性の観点から、蛍光板２０の面積（具体的には、蛍光板２０の裏面の面積）以上であることが好ましい。
この図の例において、蛍光板２０の裏面は、その全面が放熱基板１３の表面の中央領域と対向接触している。すなわち、放熱基板１３の表面は、蛍光板２０の裏面の縦横寸法よりも大きな縦横寸法を有している。
【００３５】
励起光源１１は、波長変換部材２２に含有される蛍光体を励起することができるものであればよく、励起光源１１としては、例えば波長４４５ｎｍ以上４６５ｎｍ以下の青色領域の光を出射する半導体レーザ素子などを用いることができる。
【００３６】
この蛍光光源装置における蛍光板２０の寸法の一例を具体的に示すと、放熱基板１３の外形が１７．０ｍｍ角、厚みが２．０ｍｍ、周期構造体２５の外形が３．０ｍｍ角、周期構造体２５を構成する凸部の配置ピッチが４６０ｎｍ、厚みが５００ｎｍ、波長変換部材２２の外形が３．０ｍｍ角、厚みが０．１３ｍｍ、光反射層２３の外形が２．９ｍｍ角、円弧状の切り欠きの曲率半径Ｒが０．５ｍｍ、総厚が２００ｎｍ、光反射層２３を構成する金属膜の厚みが１２０ｎｍ、支持体２６の土台部２６ａの外形が３．０ｍｍ角、総厚が２０００ｎｍ、支持体２６を構成する低反射膜の厚みが５０ｎｍ、枠部２６ｂの最小の幅が０．０５ｍｍ、厚みが１２０ｍｍである。
【００３７】
この蛍光板２０は、当該蛍光板２０を励起光入射側から肉眼で目視したとき、蛍光板２０に設けられた周期構造体２５の向きを判別することができる。具体的には、方向判別部２１が、略矩形状の光反射層２３の一隅に位置することが視認されるので、蛍光光源装置内において、励起光源１１の配置位置との関係から予め設定された、蛍光板２０が固定されるべき向きに固定されているか否かを、方向判別部２１の位置を一瞥することにより、確認することができる。
そして、この蛍光板２０を備える蛍光光源装置においては、励起光源１１から出射された励起光Ｌが、例えばコリメータレンズ（図示せず）によって平行光線とされた後、蛍光板２０の励起光入射面（周期構造体２５の表面）の励起光入射領域に照射され、当該周期構造体２５を介して波長変換部材２２に入射される。波長変換部材２２においては、蛍光体が励起され、これにより、蛍光体から蛍光が放射される。この蛍光は、蛍光体に吸収されずに光反射層２３によって反射された励起光Ｌと共に蛍光板２０における蛍光出射面（周期構造体２５の表面）の蛍光出射領域から出射され、蛍光光源装置の外部に出射される。
【００３８】
以上のように、このような蛍光板２０においては、蛍光光源装置内において蛍光板２０を固定化する際に、波長変換部材２２の励起光入射側の一面から方向判別部２１を肉眼で目視することができるため、当該方向判別部２１の位置に従って、当該蛍光板２０を蛍光光源装置内において所期の向きに容易に配置することができる。従って、この蛍光板２０によれば、蛍光光源装置内において蛍光板２０を配置する向きを間違えることに起因して出射光の強度が変動することや投射光に色ムラが生じることを回避することができる。
なお、波長変換部材２２自体にレーザーマーキングなどのマーキングを施すことにより方向判別部を形成すると、波長変換部材２２自体が薄いためにこれが破損してしまったり、クラック、欠けが生じてしまうおそれがある。また、波長変換部材２２の表面に金属等を蒸着して方向判別部を形成すると、当該金属が励起光を吸収して発熱し、蛍光の発光効率が低下してしまうおそれがある。
【００３９】
以上、本発明の第１の実施の形態に係る蛍光板について説明したが、本発明は上記の実施の形態に限定されるものではなく、種々の変更を加えることができる。
例えば、方向判別部は、支持体と一体的に設けられていることに限定されず、別個に形成されていてもよい。
【００４０】
また例えば、方向判別部の形状は円弧状のものに限定されない。
具体的には、図２（ａ）および図２（ｂ）に示すように、方向判別部２１Ａが四角状のものであってもよく、図３（ａ）および図３（ｂ）に示すように、方向判別部２１Ｂが三角状のものであってもよい。さらに、図４（ａ）および図４（ｂ）に示すように、円状の方向判別部２１Ｃが矩形状の光反射層２３の一隅に近接する領域に形成されていてもよい。この方向判別部２１Ｃは、凹所２７内において土台部２６ａ上に一体に形成されて上下方向に伸びる円柱２６ｃの表面により構成されており、円柱２６ｃは、その全側周面を光反射層２３で囲まれた状態とされる。
【００４１】
また例えば、方向判別部の配置位置も、矩形状の光反射層の一隅に対応する領域のみであることには限定されない。
具体的には、図５（ａ）および図５（ｂ）に示すように、三角状の方向判別部２１Ｄが矩形状の光反射層２３の一隅およびこれに隣接する一隅の２角に対応する領域の各々に形成されていてもよい。なお、光反射層２３の一隅およびこれと対角線上にある一隅の２角に対応する領域の各々に方向判別部が形成されている場合には、蛍光板２０が点対称の形状を有することとなり蛍光板２０の固定時に当該蛍光板２０の向きを判別することが困難であるため、好ましくない。
【００４２】
さらに例えば、図６（ａ）および図６（ｂ）に示すように、支持体２６が土台部２６ａおよび枠部２６ｂからなるものであることに限定されず、土台部２６ａの表面における一隅上に方向判別部２１Ｅとなる断面が円弧状である円弧柱２６ｄが一体的に形成されたものであってもよい。この支持体２６においては、円弧柱２６ｄの表面が方向判別部２１Ｅとして機能する。
【００４３】
＜第２の実施の形態＞
図７（ａ）は、本発明の蛍光光源装置における第２の実施の形態の蛍光板の構成の一例を示す平面図であり、図７（ｂ）は、図７（ａ）のＩ−Ｉ線断面図である。
本発明の蛍光光源装置における第２の実施の形態に係る蛍光板２０Ａは、矩形状の周期構造体２５Ａの一隅に形成された円弧状の切り欠きによって方向判別部２１Ｆが構成されていることを除き、第１の実施の形態に係る蛍光板２０と同様の構成を有する。第１の実施の形態に係る蛍光板２０と同様の構成を有するものを同じ符号で示す。
具体的には、この例の蛍光板２０Ａにおいては、光反射層２３Ａが波長変換部材２２の裏面上の全面に形成されており、さらに、支持体２６Ａが凹所を有さず、かつ、光反射層２３Ａの裏面上の全面に形成された平板状のものとされている。そして、周期構造体２５Ａの一隅に形成された円弧状の切り欠けにおいて、波長変換部材２２が励起光入射側に露出しており、波長変換部材２２を介して視認される光反射層２３Ａにより、方向判別部２１Ｆが構成されている。
この例の蛍光板２０Ａにおいて、周期構造体２５Ａおよび波長変換部材２２を介して視認する光反射層２３Ａと、周期構造体２５Ａを介さないで波長変換部材２２のみを介して視認する光反射層２３Ａとは、その反射率が異なる。従って、肉眼で蛍光板２０Ａを励起光入射側の一面から視認したときに、周期構造体２５Ａを介して視認する光反射層２３Ａと、周期構造体２５Ａを介さないで波長変換部材２２のみを介して視認する光反射層２３Ａすなわち方向判別部２１Ｆとの光の反射率の違いから、方向判別部２１Ｆの存在を認識することができる。
【００４４】
＜第３の実施の形態＞
図８（ａ）は、本発明の蛍光光源装置における第３の実施の形態の蛍光板の構成の一例を示す平面図であり、図８（ｂ）は、図８（ａ）のＪ−Ｊ線断面図である。
本発明の蛍光光源装置における第３の実施の形態に係る蛍光板２０Ｂは、周期構造体２５Ｂ、波長変換部材２２Ａ、光反射層２３Ｂおよび支持体２６Ｂが、各々同じ矩形状を有し、その一隅に形成された同じ形状の円弧状の切り欠きによって方向判別部２１Ｇが構成されていることを除き、第２の実施の形態に係る蛍光板２０Ａと同様の構成を有する。第２の実施の形態に係る蛍光板２０Ａと同様の構成を有するものを同じ符号で示す。
具体的には、この例の蛍光板２０Ｂにおいては、周期構造体２５Ｂ、波長変換部材２２Ａ、光反射層２３Ｂおよび支持体２６Ｂが、全て励起光入射側の一面から視認したときに同じ形状、すなわちその一隅に円弧状の切り欠きが形成された矩形状のものであり、これらの円弧状の切り欠きが同じ位置となるよう積層された状態とされている。すなわち、周期構造体２５Ｂ、波長変換部材２２Ａ、光反射層２３Ｂおよび支持体２６Ｂの一隅に形成された円弧状の切り欠きにおいて、放熱基板１３が励起光入射側に露出した部分により、方向判別部２１Ｇが構成されている。
この例の蛍光板２０Ｂにおいて、肉眼で当該蛍光板２０Ｂを励起光入射側の一面から視認したときに、周期構造体２５Ｂおよび波長変換部材２２Ａを介して視認する光反射層２３Ｂと、周期構造体２５Ｂ、波長変換部材２２Ａ、光反射層２３Ｂおよび支持体２６Ｂのいずれも介さないで視認する放熱基板１３すなわち方向判別部２１Ｇとの光の反射率の違いから、方向判別部２１Ｇの存在を認識することができる。
【符号の説明】
【００４５】
１１  励起光源
１３  放熱基板
１５  蛍光発光部材
２０，２０Ａ，２０Ｂ  蛍光板
２１，２１Ａ，２１Ｂ，２１Ｃ，２１Ｄ，２１Ｅ，２１Ｆ，２１Ｇ  方向判別部
２２，２２Ａ  波長変換部材
２３，２３Ａ，２３Ｂ  光反射層
２５，２５Ａ，２５Ｂ  周期構造体
２６，２６Ａ，２６Ｂ  支持体
２６ａ  土台部
２６ｂ  枠部
２６ｃ  円柱
２６ｄ  円弧柱
２７  凹所
Ｌ  励起光
【図１】
2019075343.tif 000003
【図２】
2019075343.tif 000004
【図３】
2019075343.tif 000005
【図４】
2019075343.tif 000006
【図５】
2019075343.tif 000007
【図６】
2019075343.tif 000008
【図７】
2019075343.tif 000009
【図８】
2019075343.tif 000010